(57)【要約】【課題】通気性及び放湿性が保たれ、肩や骨盤などに高い圧力がかからず、褥瘡を防止できる。【解決手段】褥瘡改善具は、直角三角柱状であり、この三角柱状の大きい二つの面の表裏でほぼ同じ位置に、表裏からの縫合によって凹溝１１が形成され、この凹溝１１は、この二つの面の傾斜方向にほぼ沿っているまたは斜めに沿っているにもかかわらず、凹溝１１の両底の表裏の間隔がほぼ一定である。褥瘡改善具及び本体１の短辺面４に近い太い個所では、凹溝１１は深くなるので、この部分に人体が当接しても、凹溝１１が塞がれてしまうことがなく、通気性及び放湿性が保たれ、褥瘡が防止される。また三角柱状のため、病人などの下に入れたとき、仰向けでもなく、真横でもなく、程よい姿勢に保つことができ、肩や骨盤などに高い圧力がかからず、褥瘡が防止される。【選択図】図１
2011224324.tif 000002
【特許請求の範囲】
【請求項１】
弾力性を有する素材からなる本体と、
この本体の外表面のうち、面積の最も大きい二つの面であって、一方の面に対して他方の面が傾斜した少なくとも二つの面と、
この二つの面に形成された複数の凹んだ通気及び通光を保つ凹溝であって、上記二つの面の表裏でほぼ同じ位置に設けられた凹溝であり、この二つの面の傾斜方向にほぼ沿っているまたは斜めに沿っているにもかかわらず、凹溝の両底の表裏の間隔がほぼ一定である凹溝とを備えたことを特徴とする褥瘡改善具。
【請求項２】
上記二つの面の傾斜角度は、荷重が無い状態で、５度乃至４５度、望ましくは７．５度乃至３０度、より望ましくは９度乃至１５度であることを特徴とする請求項１記載の褥瘡改善具。
【請求項３】
上記褥瘡改善具は上記傾斜が大きくなるように複数積層され、この大きくなった傾斜角度がほぼ３０度となることを特徴とする請求項２記載の褥瘡改善具。
【請求項４】
上記二つの面の表裏でほぼ同じ位置に設けられた凹溝の両底は、表裏の間がほぼ等間隔に、互いに糸で縫合されていることを特徴とする請求項１記載の褥瘡改善具。
【請求項５】
上記凹溝は、褥瘡改善具または本体の周縁まで達しておらず、褥瘡改善具または本体の外周縁に沿って、凹溝が形成されていないことを特徴とする請求項１記載の褥瘡改善具。
【請求項６】
上記凹溝の付近には、上記本体より撓みにくく、本体より空隙率が高くて隙間が多く、本体より透光性の高い立体構造編物が設けられていることを特徴とする請求項５記載の褥瘡改善具。
【請求項７】
上記本体の表面は細かい凹凸が形成され光触媒作用または抗菌作用のある素材が付着され、本体の表面は、パイルを有する通気及び透光を保つ外布で覆われていることを特徴とする請求項４記載の褥瘡改善具。
【請求項８】
上記褥瘡改善具は、上記面積の最も大きい互いに傾斜した面以外の個所で複数連結されて、互いに折り畳み可能となっていることを特徴とする請求項３記載の褥瘡改善具。
【請求項９】
上記褥瘡改善具はほぼ円筒状に湾曲した状態で固定する固定具を備え、この円筒状に湾曲固定された状態かつ厚さが漸次変化する状態で四肢に巻きつけられることを特徴とする請求項１記載の褥瘡改善具。
【発明の詳細な説明】
【技術分野】
【０００１】
本発明は、褥瘡改善具に関し、特に長い時間同じ姿勢を維持して、体の一部に長時間圧迫がかかってできる、褥瘡（床ずれ）の防止または治療などの改善するものに関する。
【背景技術】
【０００２】
近年、病人または障害を持つ人など体を動かすのに不自由する人が長期にわたって寝たきりなど同じ姿勢を維持すると、衣類または寝具などに対して体の一部が長時間にわたって圧迫され、この圧迫部位に褥瘡または床ずれと呼ばれる壊そが生じることがある。この様な褥瘡を改善する治療具が考えられている。例えば以下のものである。
【０００３】
【特許文献１】ＷＯ２００４／０３７１４９号公報
【特許文献２】特開平７−３１３５８５号公報
【特許文献３】特開２００８−１１００９６号公報
【特許文献４】特開２００５−１７９６９７号公報
【特許文献５】特開２００３−３１９９７７号公報
【特許文献６】特開２００７−２７０３９４号公報
【特許文献７】特開２００５−１７９８０８号公報
【特許文献８】特開２００４−１０７８００号公報
【発明の開示】
【発明が解決しようとする課題】
【０００４】
本件発明は、上述した課題を解決するためになされたものであり、本発明の目的は、このような褥瘡を簡単な改善具で防止したり治療したりするなど、褥瘡を改善することにある。
【課題を解決するための手段】
【０００５】
上記目的を達成するために、本発明の褥瘡改善具は、  弾力性を有する素材からなる本体と、  この本体の外表面のうち、面積の最も大きい二つの面であって、一方の面に対して他方の面が傾斜した少なくとも二つの面と、  この二つの面に形成された複数の凹んだ通気及び通光を保つ凹溝であって、上記二つの面の表裏でほぼ同じ位置に設けられた凹溝であり、この二つの面の傾斜方向にほぼ沿っているまたは斜めに沿っているにもかかわらず、凹溝の両底の間の間隔がほぼ一定である凹溝とを備えた。
【発明の効果】
【０００６】
これにより、褥瘡改善具が傾斜しているので、病人または障害を持つ人など体を動かすのに不自由する人（以下「病人」などという）の背中などと布団などとの間に差し込んで、病人などに、褥瘡が発生せず、予防・防止でき、悪化しないまたは治療できる（以下「褥瘡の改善」などという）、ちょうどよい傾斜に体の向きを変えることができる。
【０００７】
病人などを仰向けから真横に向きを変えると、肩や骨盤などの体の一部に高い圧力がかかり、新たな褥瘡の原因となってしまう。これを防ぐためには、側臥位の傾きは、５度乃至４５度、望ましくは７．５度乃至３０度、より望ましくは９度乃至１５度あたりがよく、本発明の褥瘡改善具によってこの角度を達成できる。また、上記凹溝で通気性が保たれ、褥瘡の発生の防止または褥瘡の悪化・拡大が防止される。
【０００８】
さらに、褥瘡改善具及び本体の太い個所では、凹溝は深くなるので、この部分に人体が当接しても、凹溝が塞がれてしまうことがなく、褥瘡改善具及び本体の通気性、通光性及び上記放湿性が保たれる。
【発明を実施するための最良の形態】
【０００９】
（１）褥瘡改善具１０の構造
図１〜図４は褥瘡改善具の外観及び断面を示す。褥瘡改善具１０の内部を構成する本体１は、発泡ウレタン、スポンジなど、クッション性、発泡性、伸縮性、弾力性または／及び可撓性を有する素材からなる。この本体１は三角柱を横向きにした形状をしており、断面は直角三角形である。この直角三角形の直角を挟む二辺の内長い方の辺（以下「底辺」という）に沿った面を底辺面２と呼ぶ。また上記直角の対辺である斜辺に沿った面を斜辺面３と呼ぶ。
【００１０】
これら底辺面２と斜辺面３との二つの面は、上記本体１の外表面のうち、面積の最も大きい二つの面であって、一方の面に対して他方の面が傾斜している。上記底辺面２と斜辺面３、つまり上記面積の最も大きい二つの面の傾斜角度は、荷重が無い状態で、１０度となっている。しかし、場合によって、５度乃至４５度、望ましくは７．５度乃至３０度、より望ましくは９度乃至１５度でもよい。
【００１１】
上記褥瘡改善具１０は上記傾斜が大きくなるように複数積層されることも可能であり、この大きくなった傾斜角度は、ほぼ２０度、ほぼ３０度、ほぼ４０度、…は可能となっている。上記底辺面２と斜辺面３とが挟む角に当たる部分は切り取られ、平坦となり、この平坦な角部分の幅は５〜２０ｍｍほどとなっている。上記直角三角形のもっとも短い辺を短辺面４と呼ぶ。この短辺面４の幅は５０〜１００ｍｍほどとなっている。
【００１２】
上記本体１の表面にはアパタイト光触媒塗料（光触媒チタンアパタイト、フッ化アパタイト被覆酸化チタンなど）が塗布されていて、抗菌作用（殺菌、除菌、滅菌、減菌も含む）及び光触媒作用を有する。この塗布は、スプレーガン、ローラー刷毛などで行われる。アパタイト光触媒は、従来の二酸化チタンなどの光触媒素材に比べて、より小さいウィルス・微生物・雑菌、例えばエンテロトキシンなども吸着して除去できる。
【００１３】
本体１は発泡ウレタン、スポンジなどの発泡性であるため、表面に非常に細かな凹凸があり、この凹凸に上記アパタイト光触媒塗料がまんべんなく、しかも凹凸が埋められることなく、塗布される。この場合の粘度、密度、固まるまでのゲルタイムは、以下の通りである。
【００１４】
この場合のアパタイト光触媒塗料の密度（＝比重）は１．００〜１．２０ｇ／ｍｌ、望ましくは１．０８〜１．１４ｇ／ｍｌ、より望ましくは１．１０〜１．１２であり、粘度は１．０〜９．０ｄＰａ・Ｓ、望ましくは１．５〜６．０ｄＰａ・Ｓ、より望ましくは２．０〜４．５ｄＰａ・Ｓであり、揺変度は３．５〜１０．０、望ましくは４．５〜８．５であり、より望ましくは５．０〜７．０、酸価は１０〜２５ｍｇＫＯＨ／ｇ、望ましくは１２〜２０ｍｇＫＯＨ／ｇであり、固まるまでの時間であるゲルタイムは１０〜５０分、望ましくは１５〜４０分、より望ましくは２０〜３０分である。
【００１５】
エアーガンを用いて塗布する場合のアパタイト光触媒塗料の粘度は３〜２４ポイズ、望ましくは６〜１５ポイズ、より望ましくは９〜１２ポイズであり、揺変度は３．５〜９．５であり、望ましくは４．５〜８．０であり、より望ましくは５．０〜６．５であり、固まるまでの時間であるゲルタイムは１０〜５０分、望ましくは１５〜４０分、より望ましくは２０〜３０分である。
【００１６】
刷毛塗りまたはローラー塗りによって塗布する場合のアパタイト光触媒塗料の粘度は９〜３３ポイズ、望ましくは１５〜２４ポイズ、より望ましくは１８〜２１ポイズであり、揺変度は４．０〜１０．０であり、望ましくは５．０〜８．５であり、より望ましくは５．５〜７．０であり、固まるまでの時間であるゲルタイムは１０〜５０分、望ましくは１５〜４０分、より望ましくは２０〜３０分である。
【００１７】
このように本体１表面の細かい凹凸に上記アパタイト光触媒塗料がまんべんなく、しかも凹凸が埋められることなく、塗布されると、アパタイト光触媒が空気・外気に触れる表面積が格段に広くなり、褥瘡を起こす雑菌・微生物・ウィルス等の褥瘡原因物を吸着して除去できる。
【００１８】
上記直角三角形柱状の本体１の外形面に沿った形の袋状に織られた外布５内に、上記本体１が収納され、本体１の表面は外布５で覆われている。この外布５は、パイルを有する通気を保つ布となっている。
【００１９】
この外布５の上記短辺面４側の中央には長手方向に沿ってファスナー６が設けられている。このファスナー６を開いて、外布５の中に本体１が入れられる。このファスナー６の閉じられる位置の外側には方形状のゴムカバー７が縫い付けられている。このゴムカバー７の内側にファスナー６のホック８が収納され、ホック８が人体に当たっても痛くない。
【００２０】
外布５の素材は、竹から作られた竹繊維（バンブー繊維）からなり、抗菌、消臭、吸湿（湿気の吸収）、調湿（湿気／湿度の自動調整）、放湿（湿気の排出）、遠赤外線発生、静電気が発生しにくいなどの性質を有する。また竹繊維は、光沢性、発色性、熱の放射性にも優れている。さらに、竹繊維は、染色性、発色性に優れ、着心地、肌触りもよい。
【００２１】
調湿作用は内側の湿度が上がると湿気を外に排出し、内側の湿度が下がると外気の湿気を吸収する作用であって、内側の湿度を一定に保つ作用である。この外布５の外面／表面には多数のパイルが形成され、隙間が十分に有るように織られ、タオルのようにパイルで埋め尽くされているので、通気性及び吸湿性にも優れている。
【００２２】
この外布５で覆われた本体１の斜辺面３から底辺面２へかけて糸で直線状に縫われ、この斜辺面３と底辺面２との二つの面の表裏のほぼ同じ位置で凹溝１１が形成される。この凹溝１１は、方形状の斜辺面３及び底辺面２を直角に横切るように複数平行に形成されている。
【００２３】
この凹溝１１の両底は、表裏の間がほぼ等間隔に、互いに糸でキルティング状に縫合される。すなわち、この二つの面の傾斜方向にほぼ沿っているまたは斜めに沿っているにもかかわらず、凹溝１１の両底の表裏の間隔はほぼ一定となる。この凹溝１１によって、人体と本褥瘡改善具１０表面とに隙間ができるので、上記外布５の放湿効果は発揮され低下せず、この放湿によって褥瘡が改善される。
【００２４】
言い換えると、褥瘡改善具１０及び本体１の短辺面４に近い太い個所でも、短辺面４と反対側の薄い個所でも、斜辺面３及び底辺面２の表裏の両凹溝１１の間隔はほぼ一定となる。また、褥瘡改善具１０及び本体１の短辺面４に近い太い個所では、凹溝１１は深くなり、短辺面４と反対側の薄い個所では、凹溝１１は浅くなる。
【００２５】
このように、褥瘡改善具１０及び本体１の短辺面４に近い太い個所では、凹溝１１は深くなるので、この部分に人体が当接しても、凹溝１１が塞がれてしまうことがなく、通気性及び上記放湿性が保たれる。この凹溝１１の底では、上記糸は細長い方形状に縫合され、凹溝１１の底の幅が広くなり、凹溝１１の幅も広くなり、通気性及び上記放湿性が向上する。
【００２６】
上記凹溝１１は、凹んでいて、この凹溝１１の底の幅がある程度あるので、通気性及び放湿性が保たれるほか、通光性も保たれる。この通光性によって、上記本体１の光触媒作用が発揮される。この場合、本体１を覆う外布５はパイルがあってもメッシュ状で透光性があり、本体１の光触媒作用が低下しない。
【００２７】
上記凹溝１１は、上記の平行のもののほか、上記凹溝１１に斜めまたは直角に交差するさらなる凹溝１１が形成されても良い。この場合でも、凹溝１１の両底の表裏の間隔はほぼ一定とされる。これにより、斜辺面３と底辺面２との二つの面の傾斜方向に斜めに沿っているにもかかわらず、凹溝１１の両底の表裏の間隔はほぼ一定となる。
【００２８】
上記凹溝１１は、褥瘡改善具１０及び本体１の周縁、短辺面４まで到達しておらず、褥瘡改善具１０及び本体１の外周縁に沿って、凹溝１１が形成されていない。これにより、人体の当接圧力が大きくなり易い、褥瘡改善具１０及び本体１の外周縁の人体当接による凹みを減少できる。
【００２９】
図５〜図６は褥瘡改善具１０の使用状態を示す。上記褥瘡改善具１０は傾斜が大きくなるように複数例えば３つ積層され、この大きくなった傾斜角度がほぼ３０度とされ、頭、肩、背中、腰、尻、大腿、下腿の下などに直接若しくは布団またはマットレスの下に差し込まれる。これにより、病人などを、褥瘡を改善できる、ちょうどよい傾斜に体の向きを変えることができる。
【００３０】
病人などを仰向けから真横に向きを変えると、肩や骨盤などに高い圧力がかかり、新たな褥瘡の原因となってしまう。上記３０度ぐらいがちょうどよい。この角度３０度は、２０度でも、１０度でもよい。また、５度乃至４５度、望ましくは７．５度乃至３０度、より望ましくは９度乃至１５度でもよい。
【００３１】
所定時間経過したら、上記褥瘡改善具１０を引き抜いて、左右反対側に差し込まれる。これにより、病人などが長い時間同じ姿勢のままとならず、体の一部に長時間圧迫がかからず、褥瘡（床ずれ）の防止または治療などの改善ができる。
【００３２】
このような褥瘡改善具１０は、上述のように左右交互に入れ替えるのではなく、左右両方に差し込まれても良い。これにより、病人などの中心部分長時間圧迫がかからず、中心部分の褥瘡（床ずれ）の防止または治療などの改善ができる。
【００３３】
このような褥瘡改善具１０は、車椅子に座る人の人体と車椅子との間、例えば、腰の横・後、背中、臀部の横・後・下、大腿の横・下などに挟むこともできる。以上の場合に、重ねる褥瘡改善具１０の数を増減すれば、積層される褥瘡改善具１０の傾斜角度を任意に変更でき、褥瘡を改善できる最適な傾斜を実現できる。
【００３４】
（２）第二実施形態
図７〜図８は第二実施形態を示す。上記短辺面４の長手方向に沿った両端縁に沿って、布製の帯状の連結紐１２（固定具）が縫合されて連結されており、この連結紐１２の両端が、短辺面４の両端縁の両角隅に縫合されている。
【００３５】
この２つの連結紐１２、１２を互いに結ぶと、褥瘡改善具１０はほぼ円筒状に湾曲した状態で固定される。この場合、上記短辺面４は上記円筒の上面または下面の一部を環状に構成し、この湾曲した円筒はテーパー状に太さが漸次薄くまたは細く若しくは厚くまたは太く変化していく。
【００３６】
このような円筒状に湾曲固定された褥瘡改善具１０は、上腕、前腕、腕全体、大腿、下腿、脚全体等の四肢に巻きつけられる。これにより、四肢の防寒、保温、加温、血行促進、抗菌作用、光触媒作用、通気性、放湿性、褥瘡改善を達成できる。
【００３７】
この巻き付けにおいて、太い短辺面４側を手または足に近い方に位置させると、血行が悪くなり易い手または足の血行を促進できる。また、この巻き付けにおいて、太い短辺面４側を手または足に近い方に位置させると、四肢の胴体に近い方を布団上面から浮き上がらせて、血管の圧迫を防いで血行を良くするとともに、胴体に近い個所などに高い圧力がかかるのを防ぎ、褥瘡を防止できる。
【００３８】
上記連結紐１２（固定具）の両端のうち片方のみ、短辺面４の角隅に縫合されてもよい。両端が縫合されても、連結紐１２の長さが十分であれば、連結紐１２どうしを結ぶことができる。
【００３９】
（３）第三実施形態
図９〜図１０は第三実施形態を示す。この実施形態では、３つの褥瘡改善具１０が連結されて、折り畳んだり、伸ばしたりできる。２つの褥瘡改善具１０の底辺面２及び斜辺面３がなす頂角辺縁同士が縫合などによって連結される。またこの連結された２つの褥瘡改善具１０の内の片方の褥瘡改善具１０の短辺面４と底辺面２とがなす直角辺縁と他の褥瘡改善具１０の直角辺縁同士が縫合などによって連結される。
【００４０】
以上のように、本褥瘡改善具１０は、面積の最も大きい互いに傾斜した斜辺面３以外の個所で複数連結されて、互いに折り畳み可能となっている。このような連結された褥瘡改善具１０を展開して伸ばすと、ほどよい凹凸が形成されて、後頭部、背中、腰、大腿付近にフィットして、体の背面側の一部に高い圧力がかからず、褥瘡を防止できる。
【００４１】
また、上記連結された３つの褥瘡改善具１０を折り畳むと、傾斜が大きくなるように複数積層されることになり、この大きくなった傾斜角度がほぼ３０度となる。この折り畳んで積層された褥瘡改善具１０は、上述のように頭、肩、背中、腰、尻、大腿、下腿の下などに直接若しくは布団またはマットレスの下に差し込まれる。これにより、病人などを、褥瘡を改善できる、ちょうどよい傾斜に体の向きを変えて、褥瘡を防止または改善できる。
【００４２】
（４）第四実施形態
図１１〜図１２は第四実施形態を示す。この実施形態では、上記本体１と外布５との間に板状の立体構造編物１６が挟まれている。この立体構造編物１６は、隙間が多いにも関わらず、圧力がかかっても、この隙間があまり塞がれず撓まない構造となっている。
【００４３】
この立体構造編物１６は、上記ウレタン等からなる本体１より固く撓みにくく、本体１より空隙率が高くて隙間が多く、本体１より薄い。また、この立体構造編物１６は、外布５より固く撓みにくく、外布５より空隙率が高くて隙間が多く、外布５より厚い。
【００４４】
以上のように、立体構造編物１６は、上記ウレタン等からなる本体１より固く撓みにくく、本体１より空隙率が高くて隙間が多いので、人体が当接して本体１が撓んで圧縮されても、立体構造編物１６の圧縮／撓みは本体１より小さいので、褥瘡改善具１０と当接している人体との間に隙間が維持され、通気性及び放湿性が保たれ、褥瘡が防止される。
【００４５】
このような立体構造編物１６の構造は、特開２００７−２７０３９４号公報、特開２００５−１７９８０８号公報、特開２００４−１０７８００号公報に示される。これらの公報に記載されていることは、本願発明の詳細な説明にも記載されているものとする。
【００４６】
このような立体構造編物１６は、表裏二層の編地１７、１７と、この二層の編地１７、１７の間を連結するフィラメント１８…よりなっている。この表裏二層の編地１７、１７は、六角形の集合体のハニカム構造、三角形の集合体の構造、四角形の集合体の碁盤格子構造等に編まれる。
【００４７】
このフィラメント１８…は、上記表裏二層の編地１７、１７の間を連結荒れるように編まれる。このフィラメント１８…は、「Ｘ字状」「Ｖ字状」「逆Ｖ字状」「Ｍ字状」「Ｎ字状」「Ｗ字状」「Ｋ字状」「Ｙ字状」「Ａ字状」「逆Ａ字状」「□状」「□の中にＸのある状態」「Ｉ字状（多数平行フィラメント１８…）」などの構造をなし、圧力がかかっても表裏二層が接触しにくい構造となっている。
【００４８】
このような構造をなすフィラメント１８…は上記Ｘ字状などであっても、フィラメント１８…どうしは連結されず分離独立されているが、連結されていてもよい。図１２の例では、フィラメント１８は、「Ｘ字状」の例が示されている。これにより、上述のように、立体構造編物１６は本体１より固く撓みにくくなり、人体が当接して本体１が撓んで圧縮されても、隙間が維持され、通気性及び放湿性が保たれ、褥瘡が防止される。
【００４９】
しかも、このフィラメント１８…同士の間隔／隙間は、フィラメント１８…自身の太さより数倍乃至十数倍、場合によって数倍乃至数十倍、さらに場合によって数倍乃至百数十倍ほどある。これにより、上述のように、立体構造編物１６は、本体１より空隙率が高くて隙間が多くなり、人体が当接して本体１が撓んで圧縮されても、隙間が維持され、通気性及び放湿性が保たれる。
【００５０】
このような立体構造編物１６は、上記底辺面２及び斜辺面３に渡って、本体１と外布５との間に積層される。この底辺面２及び斜辺面３には、凹溝１１が設けられているので、この凹溝１１に人体が当接しても、凹溝１１がさらにより塞がれなくなり、通気性及び放湿性が保たれ、褥瘡が防止される。
【００５１】
このような立体構造編物１６は、短辺面４にも積層されてもよいし、側面１３、１３に積層されてもよい。これにより、より通気性及び放湿性が向上し、褥瘡がより防止される。また、立体構造編物１６は、凹溝１１の付近のみに積層されてもよいし、底辺面２、斜辺面３、短辺面４、側面１３、１３の一部のみに積層されてもよい。さらに、立体構造編物１６は底辺面２に無くてもよいし、斜辺面３に無くてもよい。これにより、立体構造編物１６を節約できる。
【００５２】
このような立体構造編物１６は、外布５の外側に積層されてもよい。これにより、通気性及び放湿性が向上し、褥瘡が防止される。また、外布５の一部または全部は省略されてもよい。これにより、外布５を節約できる。この場合、立体構造編物１６が、外布５と同じ抗菌、消臭、吸湿（湿気の吸収）、調湿（湿気／湿度の自動調整）、放湿（湿気の排出）、遠赤外線発生、静電気が発生しにくいなどの性質をもつ成分が配合されてもよい。
【００５３】
この外布５が省略された場合、立体構造編物１６は上述のように、空隙率が高くて隙間が多いので、本体１より投光性も非常に高く、本体１表面に光触媒成分が塗布されているので、この光触媒作用が向上する。
【００５４】
上記立体構造編物１６、本体１、外布５はその一部または全部が複数層とされ、これらが順番に積層されてもよい。これにより、通気性及び放湿性がより向上し、褥瘡がより防止される。
【００５５】
図８の第二実施形態において、上述の立体構造編物１６が積層されていると、筒状の褥瘡改善具１０の内側に立体構造編物１６によって、通気性及び放湿性が保たれ、褥瘡が防止される。
【００５６】
図１０の第三実施形態において、上述の立体構造編物１６が積層されていると、立体構造編物１６は、本体１より撓みにくいので、複数重ねられた褥瘡改善具１０が撓みにくくなり、複数重ねられた褥瘡改善具１０によって形成される傾斜角度が維持され、褥瘡をより防止できる。
【００５７】
上述の各実施形態（実施例）において、当該実施形態（実施例）で記載されていないことは、他の実施形態（実施例）の記載されている内容が参照及び引用される。本願明細書及び特許請求の範囲においては、上記複数の実施形態（実施例）にわたって、各部または一部を入れ替えた実施形態（実施例）も、上記各実施形態（実施例）として記載されているものである。
【００５８】
（５）他の実施の形態
本発明は、上記実施例に限定されず、種々変更可能である。例えば、凹溝１１は直線状ではなく、ジグザグ状、サインカーブ状、矩形波状、三角波状、台形波状など、直線状でなくてもよい。凹溝１１の底の幅は一定であったが、漸次太くなったり、漸次細くなったり、太い細いが交互になったりして、変化してもよい。
【００５９】
例えば、褥瘡改善具１０及び本体１の短辺面４に近い太い個所では、凹溝１１の底が太くなってもよい。この部分に人体が当接しても、凹溝１１がさらに塞がれてしまうことがなく、通気性及び上記放湿性がより保たれる。
【００６０】
凹溝１１は、糸のほか、高周波溶着によるものなど、斜辺面３と底辺面２との両凹溝１１の底の間隔が一定にできればどのような形成によってもよい。斜辺面３と底辺面２との凹溝１１の両位置は一致していなくてもよく、ずれていてもよい。この場合、凹溝１１の位置がずれた二つの褥瘡改善具１０が積層されて一体化される。
【００６１】
斜辺面３と底辺面２との両凹溝１１の底の間隔が一定ではなく、漸次太くなったり、漸次薄くなったり、太い薄いが交互になったりして、変化してもよい。凹溝１１は互いに平行ではなく、ランダムに交差するように形成されてもよい。
【００６２】
凹溝１１は、褥瘡改善具１０及び本体１の周縁、短辺面４まで到達していてもよい。これにより、通気性、通光性及び放湿性が向上する。外布５の一部または全部は無くて、本体１だけで褥瘡改善具１０が構成されてもよい。ファスナー６は無くても良い。凹溝１１の一部又は全部は無くてもよい。
【００６３】
上記褥瘡改善具１０及び本体１の形状は直角三角形柱状であったが、断面は二等辺三角形、正三角形、不等辺三角形、方形、多角形、円形、楕円形などでもよく、三角錐、四角錐、多角形錐、円錐、楕円錐、三角錐台、四角錐台、多角形錐台、円錐台、楕円錐台、球形、卵形などでもよい。
【００６４】
本体１は、クッション性、発泡性、伸縮性、弾力性または／及び可撓性が無くてもよく、発泡ウレタン以外のクッション、小さいクッションの集合体、綿、羽毛、布、蕎麦がら、微小パイル、紙などでもよい。
【００６５】
外布５は抗菌作用のほか光触媒作用のある布が用いられてもよい。これにより、光触媒作用がより向上する。しかし、上記実施形態のように光触媒作用のある本体１が外布５で覆われれば、本体１の光触媒素材が剥離しにくく、光触媒作用が劣化しない。外布５のパイルは無くても良く、織られた布のほか、不織布、編み物などでもよく、外布５は、布のほか、網、紙、樹脂布などでもよい。
【００６６】
本体１の上記発泡ウレタン素材などの製造中に光触媒素材が混合されてもよい。光触媒作用本体１の光触媒作用は無くても良いし、抗菌作用はなくてもよい。外布５の光触媒作用は無くても良いし、抗菌作用はなくてもよい。本体１の抗菌作用のある素材、光触媒作用のある素材は、上述の素材に限られず、別の素材が用いられてもよい。  本体１又は外布５には、遠赤外線発生作用があっても良いし、消臭効果（防臭効果、吸臭効果、減臭効果を含む）があっても良いし、吸熱効果があっても良い。
【００６７】
本体１又は外布５は、シャインアップ（株式会社クラレの製品）、「サニター３０」（株式会社クラレの製品）、バンブー繊維、キチンキトサン繊維、ディスメルでもよいし、「ロンウェーブ」（株式会社クラレの製品）、「富士山溶岩シーツ」（おとぎの国http://store。shopping.yahoo.co.jp/otogino/ba0612.html）、繊維にカキタンニン成分を含むまたは付着された布などでもよい。
【００６８】
上記連結紐１２は、係止着脱自在な面ファスナーでも良いし、ボタン、スナップ、ファスナー、フック、ホックなど、褥瘡改善具１０を湾曲固定できれば何でもよい。連結紐１２は、短辺面４の４つの角隅に４つ縫合されてもよいし、底辺面２と斜辺面３となす辺の両端に縫合されてもよい。
【００６９】
連結紐１２は、三角柱状の褥瘡改善具１０のどこの辺に縫合されてもよいし、三角柱状の褥瘡改善具１０のどこの面に縫合されてもよい。これらの連結紐１２…はいずれが結ばれてもよく、褥瘡改善具１０の湾曲状態は、底辺面２及び斜辺面３がなす辺と短辺面４とが接近するように、つまり上記側面１３、１３が上記円筒の上面または下面の一部を環状に構成するように湾曲されてもよい。
【００７０】
上記ファスナー６、ゴムカバー７、ホック８の一部または全部は無くてもよいし、短辺面４の中央ではなく、短辺面４の辺縁に沿って形成されてもよいし、三角柱状の褥瘡改善具１０の辺又は面のいずれに形成されてもよい。ファスナー６、ゴムカバー７、ホック８が無いときには、当該個所の外布５が縫合されたり、重ね合わされたりする。
【００７１】
連結される褥瘡改善具１０は３つではなく、２つ、４つ、５つ以上でも良い。褥瘡改善具１０の連結個所は、上記頂角辺縁同士、直角辺縁同士のほか、短辺面４と斜辺面３とがなす斜角辺縁同士でもよいし、直角辺縁と頂角辺縁、斜角辺縁と頂角辺縁、斜角辺縁と直角辺縁とが連結されても良いし、さらに、これらの辺縁と側面１３の周縁の３つの辺縁のいずれかとが連結されてもよし、側面１３の周縁の３つの辺縁のいずれか同士が連結されてもよい。
【００７２】
さらには、上記各辺縁と底辺面２、短辺面４または側面１３とが連結されても良い。これらの場合でも、折り畳み及び展開が可能となる。このような連結は、上記縫合のほか、着脱自在な面ファスナー、ボタン、スナップ、ファスナー、フック、ホック、紐などによってもよい。これにより、褥瘡改善具１０を単独でも複数連結しても使用できる。
【００７３】
（６）他の発明の効果
［１］弾力性を有する素材からなる本体と、  この本体の外表面のうち、面積の最も大きい二つの面であって、一方の面に対して他方の面が傾斜した少なくとも二つの面と、  この二つの面に形成された複数の凹んだ通気及び通光を保つ凹溝であって、上記二つの面の表裏でほぼ同じ位置に設けられた凹溝であり、この二つの面の傾斜方向にほぼ沿っているまたは斜めに沿っているにもかかわらず、凹溝の両底の表裏の間隔がほぼ一定である凹溝とを備えたことを特徴とする褥瘡改善具。
【００７４】
［２］上記二つの面の傾斜角度は、荷重が無い状態で、５度乃至４５度、望ましくは７．５度乃至３０度、より望ましくは９度乃至１５度であることを特徴とする請求項１記載の褥瘡改善具。これにより、肩や骨盤などの体の一部に高い圧力がかかり褥瘡の発生し易い、仰向けまたは真横ではなく、傾斜した状態に病人等を保つことができる。
【００７５】
［３］上記褥瘡改善具は上記傾斜が大きくなるように複数積層され、この大きくなった傾斜角度がほぼ３０度となることを特徴とする請求項２記載の褥瘡改善具。  これにより、肩や骨盤などの体の一部に高い圧力がかかり褥瘡の発生し易い、仰向けまたは真横ではなく、傾斜した状態に病人等を保つことができる。
【００７６】
［４］上記二つの面の表裏でほぼ同じ位置に設けられた凹溝の両底は、表裏の間がほぼ等間隔に、互いに糸で縫合されていることを特徴とする請求項１記載の褥瘡改善具。  これにより、凹溝によって、人体と本褥瘡改善具表面とに隙間ができ、外布の放湿効果は発揮され低下せず、この放湿によって褥瘡が改善される。
【００７７】
［５］上記凹溝は、褥瘡改善具または本体の周縁まで達しておらず、褥瘡改善具または本体の外周縁に沿って、凹溝が形成されていないことを特徴とする請求項１記載の褥瘡改善具。  これにより、人体の当接圧力が大きくなり易い、褥瘡改善具または本体の外周縁の人体当接による凹みを減少できる。
【００７８】
［６］上記凹溝の付近には、上記本体より撓みにくく、本体より空隙率が高くて隙間が多く、本体より透光性の高い立体構造編物が設けられていることを特徴とする請求項５記載の褥瘡改善具。これにより、人体が当接して本体が撓んで圧縮されても、立体構造編物の圧縮／撓みは本体より小さく、隙間が多くて維持されるので、褥瘡改善具と当接している人体との間に隙間が維持され、通気性及び放湿性が保たれ、褥瘡が防止される。また、この立体構造編物は透光性が高いので、本体に光触媒作用がある場合にこれが向上する。
【００７９】
［７］上記本体の表面は細かい凹凸が形成され光触媒作用または抗菌作用のある素材が付着され、本体の表面は、パイルを有する通気及び透光を保つ外布で覆われていることを特徴とする請求項４記載の褥瘡改善具。  これにより、本体表面積を大きくして、光触媒作用または抗菌作用をより強く発揮させ、しかもこの光触媒作用または抗菌作用を外布で保護して劣化しないようにできる。
【００８０】
［７−２］上記本体または／及び布は、抗菌作用がある素材または光触媒作用がある素材からなることを特徴とする請求項５記載の褥瘡改善具。  これにより、褥瘡を発生させる菌の発生・増殖をおさえて、褥瘡を改善できる。
【００８１】
［８］上記褥瘡改善具は、上記面積の最も大きい互いに傾斜した面以外の個所で複数連結されて、互いに折り畳み可能となっていることを特徴とする請求項３記載の褥瘡改善具。  これにより、連結された褥瘡改善具を折り畳んで積層したり、展開して伸ばしたりして、病人などの状態及び個所にあわせて種々形態を変更できる。
【００８２】
［９］上記褥瘡改善具はほぼ円筒状に湾曲した状態で固定する固定具を備え、この円筒状に湾曲固定された状態かつ厚さが漸次変化する状態で四肢に巻きつけられることを特徴とする請求項１記載の褥瘡改善具。  これにより、血行が悪くなり易い手または足の血行を促進できる。また、四肢の胴体に近い方を布団上面から浮き上がらせて、血管の圧迫を防いで血行を良くするとともに、胴体に近い個所などに高い圧力がかかるのを防ぎ、褥瘡を防止できる。
【産業上の利用可能性】
【００８３】
通気性及び放湿性が保たれ、肩や骨盤などに高い圧力がかからず、褥瘡を防止できる。褥瘡改善具は、直角三角柱状であり、この三角柱状の大きい二つの面の表裏でほぼ同じ位置に、表裏からの縫合によって凹溝１１が形成され、この凹溝１１は、この二つの面の傾斜方向にほぼ沿っているまたは斜めに沿っているにもかかわらず、凹溝１１の両底の表裏の間隔がほぼ一定である。
【００８４】
褥瘡改善具及び本体１の短辺面４に近い太い個所では、凹溝１１は深くなるので、この部分に人体が当接しても、凹溝１１が塞がれてしまうことがなく、通気性及び放湿性が保たれ、褥瘡が防止される。また三角柱状のため、病人などの下に入れたとき、仰向けでもなく、真横でもなく、程よい姿勢に保つことができ、肩や骨盤などに高い圧力がかからず、褥瘡が防止される。
【図面の簡単な説明】
【００８５】
【図１】褥瘡改善具の外観を示す。
【図２】褥瘡改善具の断面を示す。
【図３】褥瘡改善具の断面（図２と直交する方向）を示す。
【図４】褥瘡改善具の短辺面４を示す。
【図５】褥瘡改善具の使用状態を示す。
【図６】褥瘡改善具の使用状態を示す。
【図７】褥瘡改善具を湾曲させる第二実施形態を示す。
【図８】褥瘡改善具を湾曲させる第二実施形態を示す。
【図９】褥瘡改善具を連結した第三実施形態を示す。
【図１０】褥瘡改善具を連結した第三実施形態を示す。
【図１１】立体構造編物１６を積層した第四実施形態を示す。
【図１２】立体構造編物１６を積層した第四実施形態を示す。
【符号の説明】
【００８６】
１…本体、２…底辺面、
３…斜辺面、４…短辺面、
５…外布、６…ファスナー、
７…ゴムカバー、８…ホック、
１０…褥瘡改善具、１１…凹溝、
１２…連結紐（固定具）、１３…側面、
１６…立体構造編物、１７…編地、
１８…フィラメント。
【図１】
2011224324.tif 000003
【図２】
2011224324.tif 000004
【図３】
2011224324.tif 000005
【図４】
2011224324.tif 000006
【図５】
2011224324.tif 000007
【図６】
2011224324.tif 000008
【図７】
2011224324.tif 000009
【図８】
2011224324.tif 000010
【図９】
2011224324.tif 000011
【図１０】
2011224324.tif 000012
【図１１】
2011224324.tif 000013
【図１２】
2011224324.tif 000014